【事件の表示】
　特願２００２−　４４７２２「インクジェットインクの耐光性改善のための金属イオン添加剤」拒絶査定不服審判事件〔平成１４年１１月１２日出願公開、特開２００２−３２６４５４〕について、次のとおり審決する。
【結　論】
　本件審判の請求は、成り立たない。
【理　由】
 
１．手続の経緯・本件発明
　本願は、平成１４年２月２１日の出願（パリ条約による優先権主張２００１年２月２６日、米国）であって、平成１９年１０月１５日付けで拒絶査定がされ、これに対して平成２０年１月２１日に拒絶査定不服審判が請求されたものである。
　本願の発明は、出願当初の明細書の特許請求の範囲の請求項１ないし４に記載されたものと認められるところ、その請求項１に記載された発明（以下「本願発明」という。）は、次のとおりのものである。
　
「インクジェット印刷用定着剤調合物のための添加剤であって、
　Ｃｕ、Ｃｏ、Ｎｉ、Ｔｉ、Ｐｔ、Ｐｄ、Ｃｄ、Ｖ、Ｈｇ、Ｃｒ及びＭｎから成る群より選択された成分を含む金属塩を含有し、
　前記定着剤調合物がポリ（エチレンイミン）又はメチル化ポリ（エチレンイミン）を含むことからなる添加剤。」
　
２．引用された刊行物記載の発明
（刊行物１について）
　これに対して、原査定の拒絶の理由に引用文献１として引用された特開２００１−４８９３４号公報（以下、「刊行物１」という。）には、次の事項が記載されている。（下線は、当審にて付与した。）
　
（１−ａ）「【請求項１】下記の式（Ｉ）中の式（ａ）で表される繰り返し単位（ａ）と、式（ｂ）で表される繰り返し単位（ｂ）との(共)重合体であって、単位（ａ）を１００〜０ｍｏｌ％の範囲で含んでなり、かつ分子の一方の末端基がカルボキシル基を含む基であり、他方の末端基が芳香環を含む基である（共）重合体からなる
カチオン性水溶性樹脂を含んでなる、耐水性付与剤
【化１】
　
（上記式中、Ｒ1は、水素原子またはメチル基を表し、Ｒ2およびＲ3は、同一でも異なっていてもよく、Ｃ1-3アルキル基を表し、Ｒ4は、水素原子またはメチル基を表し、Ｒ5、Ｒ6、およびＲ7は、同一でも異なっていてもよく、Ｃ1-3アルキル基を表し、Ｚ-は、カウンターイオンを表し、ｋおよびｌは、同一でも異なっていてもよく、１、２、または３を表す。）」
　
（１−ｂ）「【００１２】
【発明の概要】本発明者等は、今般、
インク組成物およびインク組成物と反応液との二液を記録媒体に付着させるインクジェット記録方法に用いられる反応液に、特定構造のカチオン性水溶性樹脂を添加する事により、良好な画像、とりわけ耐水性、耐光性に優れ、かつにじみの少ない画像が実現できる
　
（１−ｃ）「【００６１】
二液を用いたインクジェット記録方法
【００６２】
本発明によるインクジェット記録方法にあっては、反応液とインク組成物とが接触することで良好な画像が実現できる
耐水性付与剤が、インク組成物中の着色剤、後記する場合によって含まれる樹脂エマルジョン、その他の成分の溶解および／または分散状態を破壊し、それを凝集させると考えられる
【００６３】さらに、
耐水性付与剤は、反応液中では安定的に溶解しているが、この反応液をインク組成物とともに記録媒体上に付着させると
記録媒体への樹脂の固定化に伴い、着色剤も樹脂と共に記録媒体に固定され、画像の耐水性が付与されると考えられる
ポリアリルアミンと染料との組み合わせは、その耐光性において染料独自の特性より劣化させるという点で不利であった
画像の耐水性を保持しつつ染料単独の耐光性を維持できるという、従来の組み合わせでは為し得なかった点を改善するものである
二液を用いたインクジェット記録方法
　
（１−ｄ）「【００７１】さらに
本発明によるインクジェット記録方法における反応液には、多価金属塩を含んでなることができる
多価金属イオンの具体例としては、Ｃａ
2+
、Ｃｕ
2+
、Ｎｉ
2+
、Ｍｇ
2+
、Ｚｎ
2+
、Ｂａ
2+
などの二価金属イオン
【００７２】とりわけ、Ｃａ2+またはＭｇ2+より構成される金属塩は、反応液のｐＨ、得られる印刷物の品質という二つの観点から、好適な結果を与える。
【００７３】これら多価金属塩の反応液中における濃度は印刷品質、目詰まり防止の効果が得られる範囲で適宜決定されてよいが、好ましくは０．１〜４０重量％程度であり、より好ましくは５〜２５重量％程度である。
【００７４】本発明の好ましい態様においては、反応液に含まれる多価金属塩は、二価以上の多価金属イオンと、これら多価金属イオンに結合する硝酸イオンまたはカルボン酸イオンとから構成され、水に可溶なものである。」
　　
　したがって、上記の事項を総合すると、刊行物には、以下の発明が開示されていると認められる。（以下、「刊行物１発明」という。）
「インク組成物と、反応液とを付着させて印刷を行うインクジェット記録方法に用いる反応液であって、
特定構造のカチオン性水溶性樹脂と、Ｃａ2+、Ｃｕ2+、Ｎｉ2+、Ｍｇ2+、Ｚｎ2+、Ｂａ2+などの二価金属イオンから構成される金属塩とを含有させた反応液。」
　
（刊行物２について）
　そして、原査定の拒絶の理由に引用文献２として引用された特開２０００−２６３９２１号公報（以下、「刊行物２」という。）には、次の事項が記載されている。（下線は、当審にて付与した。）
　なお、原審の平成１９年２月１５日付けの拒絶理由通知には、引用文献２は「特開２０００−２６３９２１号公報」ではなく誤って「特開２０００−２６９３２１号公報」と記載されているが、この「特開２０００−２６９３２１号公報」は、「半導体装置」に関するものであり、請求人は、請求の理由（平成２０年４月９日付け手続補正書（２）拒絶査定の理由の要点）において、「引用文献２：特開２０００−２６３９２１号公報」と記載しているように、正しい公報番号が伝えられていることは明らかである。
　
（２−ａ）「【請求項１】記録媒体に、
インク組成物と、反応液とを付着させて印刷を行うインクジェット記録方法であって
前記反応液が、インク組成物と接触したとき凝集物を生じさせる、下記の式（Ｉ）で表される繰り返し単位を含んでなる
カチオン性水溶性樹脂を含んでなる、インクジェット記録方法
【化１】
　
（上記式中、
Ｒ1およびＲ2は、同一でも異なっていてもよく、水素原子またはＣ1-5アルキル基を表すが、両者が同時に水素原子を表すことはなく、ｎは０、１、または２を表す）」
　
（２−ｂ）「【０００６】一方で、
良好な画像、とりわけ耐水性を実現するために、インクジェット記録用インクにカチオン性樹脂を添加することが行われてきた
【０００７】例えば、特開昭６２−１１９２８０号公報には、
ヒドロキシエチル化ポリエチレンイミンポリマーと染料成分とからなるインク
【０００８】また、特公平７−９１４９４号公報には、
ヒドロキシアルキル化ポリアリルアミンポリマーと染料からなるインク
　
（２−ｃ）「【００１３】しかし、上記したインク組成物の中には、耐光性においてさらに改善が必要とされるものがある。例えば、特開平２−２５５８７６号、特開平２−２９６８７６号、および特開平３−１８８１７４号各公報の
実施例にカチオン性樹脂として具体的に示されているポリエチレンイミンあるいはポリアリルアミンを用いた場合は
染料単独のインクより耐光性を低下させることがある
　
（２−ｄ）「【００２０】さらに、カチオン性水溶性樹脂は、反応液中では安定的に溶解しているが、この反応液をインク組成物とともに記録媒体上に付着させると、カチオン性水溶性樹脂はインク組成物に含まれる着色剤と静電的な相互作用を生じ、一方でこの樹脂は記録媒体とも相互作用を生じ、記録媒体上に安定的に固定され得る。記録媒体への樹脂の固定化に伴い、着色剤も樹脂と共に記録媒体に固定され、画像の耐水性が付与されると考えられる。また、着色剤が記録媒体に良好に固定される結果、にじみおよびカラーブリードの少ない画像が実現できると考えられる。さらに好ましいことには、式（Ｉ）で表されるカチオン性水溶性樹脂を含んだ反応液と染料を含んだインク組成物とを組み合わせることで耐光性においても大きな改善が図られた。従来、カチオン性水溶性樹脂として用いられてきたポリアリルアミンと染料との組み合わせは、その耐光性において染料独自の特性より劣化させるという点で不利であった。しかし、本発明にあっては、
式（Ｉ）で表される樹脂を用いることにより、画像の耐水性を保持しつつ染料単独の耐光性を維持できるという、従来の組み合わせでは為し得なかった点を改善するものである
　
（２−ｅ）「【００３０】さらに
本発明によるインクジェット記録方法における反応液には、多価金属塩を含んでなることができる。その好ましい例としては、二価以上の多価金属イオンとこれら多価金属イオンに結合する陰イオンとから構成され、水に可溶な塩が挙げられる。多価金属イオンの具体例としては、Ｃａ
2+
、Ｃｕ
2+
、Ｎｉ
2+
、Ｍｇ
2+
、Ｚｎ
2+
、Ｂａ
2+
などの二価金属イオン
【００３１】とりわけ、Ｃａ2+またはＭｇ2+より構成される金属塩は、反応液のｐＨ、得られる印刷物の品質という二つの観点から、好適な結果を与える。
【００３２】これら多価金属塩の反応液中における濃度は印刷品質、目詰まり防止の効果が得られる範囲で適宜決定されてよいが、好ましくは０．１〜４０重量％程度であり、より好ましくは５〜２５重量％程度である。
【００３３】本発明の好ましい態様においては、反応液に含まれる多価金属塩は、二価以上の多価金属イオンと、これら多価金属イオンに結合する硝酸イオンまたはカルボン酸イオンとから構成され、水に可溶なものである。」
　　
　したがって、上記の事項を総合すると、刊行物２には、以下の発明が開示されていると認められる。（以下、「刊行物２発明」という。）
「インク組成物と、反応液とを付着させて印刷を行うインクジェット記録方法に用いる反応液であって、
特定構造のカチオン性水溶性樹脂と、Ｃａ2+、Ｃｕ2+、Ｎｉ2+、Ｍｇ2+、Ｚｎ2+、Ｂａ2+などの二価金属イオンから構成される金属塩とを含有させた反応液。」
　
（刊行物３について）
　また、原査定の拒絶の理由に引用文献３として引用された特開２０００−２８１９４７号公報（以下、「刊行物３」という。）には、次の事項が記載されている。（下線は、当審にて付与した。）
　
（３−ａ）「【請求項１】記録媒体に、
インク組成物と、反応液とを付着させて印刷を行うインクジェット記録方法であって
前記反応液が、インク組成物と接触したとき凝集物を生じさせる、下記の式（Ｉ）中の式（ａ）で表される繰り返し単位（ａ）および式（ｂ）で表される繰り返し単位（ｂ）を含んでなる
カチオン性水溶性樹脂を含んでなる、インクジェット記録方法
【化１】
　
（上記式中、
Ｒ1 およびＲ2 は、同一でも異なっていてもよく、Ｃ1-5 アルキル基を表し、
Ｒ3 は、水素原子またはＣ1-5 アルキル基を表し、
ｎは０、１、または２を表す。）」
　
（３−ｂ）「【０００６】一方で、良好な画像、とりわけ耐水性を実現するために、
インクジェット記録用インクにカチオン性樹脂を添加することが行われてきた
【０００７】例えば、特開昭６２−１１９２８０号公報には、
ヒドロキシエチル化ポリエチレンイミンポリマーと染料成分とからなるインク
【０００８】また、特公平７−９１４９４号公報には、
ヒドロキシアルキル化ポリアリルアミンポリマーと染料からなるインク
　
（３−ｃ）「【００１３】しかし、上記したインク組成物の中には、耐光性においてさらに改善が必要とされるものがある。例えば、特開平２−２５５８７６号、特開平２−２９６８７６号、および特開平３−１８８１７４号各公報の
実施例にカチオン性樹脂として具体的に示されているポリエチレンイミンあるいはポリアリルアミンを用いた場合は
染料単独のインクより耐光性を低下させることがある
　
（３−ｄ）「【００３３】さらに
本発明によるインクジェット記録方法における反応液には、多価金属塩を含んでなることができる。その好ましい例としては、二価以上の多価金属イオンとこれら多価金属イオンに結合する陰イオンとから構成され、水に可溶な塩が挙げられる。多価金属イオンの具体例としては、Ｃａ
2+
、Ｃｕ
2+
、Ｎｉ
2+
、Ｍｇ
2+
、Ｚｎ
2+
、Ｂａ
2+
などの二価金属イオン
【００３４】とりわけ、Ｃａ2+またはＭｇ2+より構成される金属塩は、反応液のｐＨ、得られる印刷物の品質という二つの観点から、好適な結果を与える。
【００３５】これら多価金属塩の反応液中における濃度は印刷品質、目詰まり防止の効果が得られる範囲で適宜決定されてよいが、好ましくは０．１〜４０重量％程度であり、より好ましくは５〜２５重量％程度である。
【００３６】本発明の好ましい態様においては、反応液に含まれる多価金属塩は、二価以上の多価金属イオンと、これら多価金属イオンに結合する硝酸イオンまたはカルボン酸イオンとから構成され、水に可溶なものである。」
　
　したがって、上記の事項を総合すると、刊行物３には、以下の発明が開示されていると認められる。（以下、「刊行物３発明」という。）
「インク組成物と、反応液とを付着させて印刷を行うインクジェット記録方法に用いる反応液であって、
特定構造のカチオン性水溶性樹脂と、Ｃａ2+、Ｃｕ2+、Ｎｉ2+、Ｍｇ2+、Ｚｎ2+、Ｂａ2+などの二価金属イオンから構成される金属塩とを含有させた反応液。」
　
３．対比
　本願発明と刊行物１発明ないし刊行物３発明（以下、「刊行物１発明ないし刊行物３発明」をまとめて「刊行物発明」という。）と対比すると、
　まず、刊行物発明における「反応液」は、本願発明における「インクジェット印刷用定着剤調合物」に相当する。
　そして、刊行物発明における「Ｃａ2+、Ｃｕ2+、Ｎｉ2+、Ｍｇ2+、Ｚｎ2+、Ｂａ2+などの二価金属イオンから構成される金属塩」は、定着剤調合物のための添加剤の成分に相当するから、刊行物発明における「Ｃａ2+、Ｃｕ2+、Ｎｉ2+、Ｍｇ2+、Ｚｎ2+、Ｂａ2+などの二価金属イオンから構成される金属塩」と、本願発明における「Ｃｕ、Ｃｏ、Ｎｉ、Ｔｉ、Ｐｔ、Ｐｄ、Ｃｄ、Ｖ、Ｈｇ、Ｃｒ及びＭｎから成る群より選択された成分を含む金属塩」とは、「Ｃｕ、Ｎｉなどから成る群より選択された成分を含む金属塩」で一致する。
　また、刊行物発明における「特定構造のカチオン性水溶性樹脂」は、定着剤調合物の成分であるから、刊行物発明における「特定構造のカチオン性水溶性樹脂」と、本願発明における「ポリ（エチレンイミン）又はメチル化ポリ（エチレンイミン）」とは、「インクジェット印刷用定着剤調合物」の成分としての「カチオン性水溶性樹脂」で共通する。
　
　したがって、両者は、
「インクジェット印刷用定着剤調合物のための添加剤であって、
　Ｃｕ、Ｎｉなどから成る群より選択された成分を含む金属塩を含有し、
　前記定着剤調合物がカチオン性水溶性樹脂を含むことからなる添加剤。」
の点で一致し、下記の点で相違する。
　
　相違点：「インクジェット印刷用定着剤調合物」に関して、本願発明は、「ポリ（エチレンイミン）又はメチル化ポリ（エチレンイミン）」を含むのに対して、刊行物発明は、「特定構造のカチオン性水溶性樹脂」を含む点。
　
４．当審の判断
　上記相違点について、検討する。
（相違点について）
　刊行物１ないし３に示されるように、「ポリエチレンイミンポリマー」及び「ポリアリルアミンポリマー」をインクの耐水化剤として用いること、すなわち、インクの定着剤として「ポリエチレンイミンポリマー」及び「ポリアリルアミンポリマー」は従来周知である。（必要ならば、特開平２−２５５８７６号公報（インクを耐水化する「ポリアミン」として、「ポリエチレンイミン誘導体」及び「アリルアミン」を例示）、特開平８−２８２０８６号公報（原審の引用文献５、段落【００３２】「ポリアリルアミン塩酸塩」、【００３３】「ポリエチレンイミン塩酸塩」）、特開２０００−８５２３７号公報（原審の引用文献４、「ポリエチレンイミン又はポリエチレンイミン誘導体」を含有する耐水性強化液）等参照。）
　そして、インクの定着剤（耐水化剤）として、公知材料の中から適宜の材料を選択することは、当業者の通常の創作能力の発揮であって、この点に進歩性はないというべきである。
　してみると、刊行物１発明ないし刊行物３発明における「特定構造のカチオン性水溶性樹脂」であるポリアリルアミン類に代えて、「ポリエチレンイミン」をインクジェット印刷用定着剤とすることは、当業者が適宜為し得たことである。
　
（本願発明が奏する効果について）
　また、「ポリ（エチレンイミン）又はメチル化ポリ（エチレンイミン）」と「Ｃｕ、Ｃｏ、Ｎｉ、Ｔｉ、Ｐｔ、Ｐｄ、Ｃｄ、Ｖ、Ｈｇ、Ｃｒ及びＭｎから成る群より選択された成分を含む金属塩」との組み合わせを採用することによって本願発明が奏する、「耐光性を改善する」との効果についても、刊行物１ないし３に記載された事項から予測し得る程度のものであって、格別のものとはいえない。
　したがって、上記相違点に係る構成の変更は、当業者が適宜為し得たことである。
　
５．請求人の主張
　請求人は、請求の理由において、「引用文献１に関しましても、インクを単独で用いた場合と比較して、多価金属塩を用いても染料の耐光性が維持される（即ち、低下しない）ことは分かりますが、本願実施例で確認しているように、インクを単独で用いる場合と比較して染料の耐光性を向上させる場合もあることまでは予測できません。」と主張している。
　この「インクを単独で用いる場合と比較して染料の耐光性を向上させる場合」について、本願発明の実施例を参照すると、例えば、表２のイエローに関しては、全くそのような効果は確認できないように、インクを単独で用いる場合と比較して染料の耐光性を必ず向上させるものではないことは明らかである。
　したがって、本願発明は、「インクを単独で用いる場合と比較して染料の耐光性を向上させる」との効果を必ずしも発揮するものではないから、上記主張は採用できない。
　
６．むすび
　以上のとおり、本願の請求項１に係る発明は刊行物１ないし３に記載の発明及び周知の事項に基づいて、当業者が容易に発明をすることができたものであるから、特許法第２９条第２項の規定により特許を受けることができない。
したがって、本願のその他の請求項に係る発明について検討するまでもなく、本願は拒絶すべきものである。
　よって、結論のとおり審決する。